(57)【要約】【課題】多層基板やシールド線を用いるなどの高価な対策を施すことなく、内部において伝送されるアナログのオーディオビジュアル信号のクロストークを可及的に低減することができるアナログ信号処理装置を提供する。【解決手段】アナログ信号処理装置３０において、(A)(a)外部入力端子２０ａ、２０ｂ、２０ｃと、(b)オーディオビジュアル信号ＡＶａ、ＡＶｂ、ＡＶｃを択一的に伝送することが可能なバッファ回路３１とを搭載した信号選択基板３２と、(B)オーディオビジュアル信号ＡＶａ、ＡＶｂ、ＡＶｃを択一的に後段側へ伝送する為の選択信号Ｓａ、Ｓｂ、Ｓｃをバッファ回路３１へ出力すると共に、信号選択基板３２から伝送されたオーディオビジュアル信号ＡＶに基づいて信号処理を施す制御基板３３と、(C)信号選択基板３２と制御基板３３との間で選択信号Ｓ及びオーディオビジュアル信号ＡＶを伝送する接続ケーブル３４とを、備える。【選択図】図３
2009141691.tif 000002
【特許請求の範囲】
【請求項１】
複数の外部信号源から複数の外部入力端子にそれぞれ入力されたアナログのオーディオビジュアル信号を処理して出力するアナログ信号処理装置において、
上記外部入力端子と上記オーディオビジュアル信号を択一的に伝送することが可能なバッファ回路とを搭載した信号選択基板と、
上記オーディオビジュアル信号を択一的に伝送する為の選択信号を上記バッファ回路へ出力すると共に、上記信号選択基板から伝送された上記オーディオビジュアル信号に基づいて信号処理を施す制御基板と、
上記信号選択基板と上記制御基板との間で上記選択信号及び上記オーディオビジュアル信号を伝送する接続ケーブルと
を、備えることを特徴とするアナログ信号処理装置。
【請求項２】
上記バッファ回路は、
上記制御基板側のインピーダンスを下げて上記オーディオビジュアル信号をそれぞれ伝送する複数のバッファアンプと、上記バッファアンプへ電源を供給する電源経路にそれぞれ配置され、上記選択信号に基づいて作動するスイッチとを、含むことを特徴とする請求項１に記載のアナログ信号処理装置。
【請求項３】
上記バッファ回路は、
上記制御基板側のインピーダンスを下げて上記オーディオビジュアル信号をそれぞれ伝送する複数のバッファアンプと、上記外部入力端子から上記バッファアンプへ上記オーディオビジュアル信号を伝送する信号経路にそれぞれ配置され、上記選択信号に基づいて作動するスイッチとを、含むことを特徴とする請求項１に記載のアナログ信号処理装置。
【請求項４】
上記制御基板は、
ユーザによる切替操作に基づいて選択された上記外部信号源に対応するオーディオビジュアル信号のみが伝送されるように上記選択信号を出力することを特徴とする請求項１乃至３の何れかに記載のアナログ信号処理装置。
【請求項５】
上記制御基板は、ユーザによる切替操作に基づいてテレビジョン放送及び上記外部信号源のうちで該外部信号源が選択された場合に、上記選択された外部信号源に対応するオーディオビジュアル信号のみが伝送されるように上記選択信号を出力する制御マイコンと、該オーディオビジュアル信号に基づいて信号処理を施す信号処理ＩＣとを、搭載したものであり、
上記バッファ回路は、上記制御基板側のインピーダンスを下げて上記オーディオビジュアル信号をそれぞれ伝送する複数のバッファアンプと、上記バッファアンプへ電源を供給する電源経路にそれぞれ配置され、上記選択信号に基づいて作動するスイッチとを、含むものであり、
薄型テレビジョン装置に備えられることを特徴とする請求項１に記載のアナログ信号処理装置。
【請求項６】
複数の外部信号源から複数の外部入力端子にそれぞれ入力されたアナログのオーディオビジュアル信号を処理して出力するアナログ信号処理方法において、
上記オーディオビジュアル信号を択一的に伝送することが可能なバッファ回路へ接続ケーブルを介して該オーディオビジュアル信号を択一的に伝送する為の選択信号を出力すると共に、上記バッファ回路から接続ケーブルを介して伝送された上記オーディオビジュアル信号に基づいて信号処理を施すことことを特徴とするアナログ信号処理方法。 
【発明の詳細な説明】
【技術分野】
【０００１】
本発明は、複数の外部信号源から複数の外部入力端子にアナログのオーディオビジュアル信号がそれぞれ入力されるアナログ信号処理装置及びアナログ信号処理方法に関する。
【背景技術】
【０００２】
複数の外部信号源から複数の外部入力端子にそれぞれ入力されたアナログのオーディオビジュアル信号を処理して出力するアナログ信号処理装置がよく知られている。例えば、ＤＶＤプレーヤやＶＴＲ等の外部機器からのアナログのオーディオビジュアル信号を入力する為の外部入力端子を備えるテレビジョン装置がよく知られている。
近年、オーディオビジュアル信号は例えばテレビジョン装置の性能向上に伴って広帯域化が進んでおり、また表示部の大型化に伴ってこれらオーディオビジュアル信号を接続ケーブルを介して装置内にて長距離伝送する必要が生じている。更に、高機能化に伴って、外部機器と接続する為の接続端子（例えば外部入力端子）は増加する傾向にある。このようなテレビジョン装置において、複数の外部機器から外部入力端子に同時にオーディオビジュアル信号が入力されると、異なる外部機器から入力されたオーディオビジュアル信号同士がテレビジョン装置内部でクロストークを起こして混入し、映像・音声の品質を損ね易くなってきている。特に、単層基板上や装置内の接続ケーブル上でクロストークの発生が顕著に現れる。
【０００３】
クロストークによる影響を抑制する技術として、例えば特許文献１には、選択回路によって相互に並行して配置された複数の信号線のうち一つの信号線が選択されてアクティブにされ、このとき電位調整回路によって複数の信号線のうち前記選択された信号線に隣接する信号線が所定の電位に保持されることで、選択された信号線が、その信号線に隣接する信号線によるクロストークの影響を受けることを回避でき、安定した動作を行うことができる半導体記憶装置が開示されている。
また、特許文献２には、クロストーク分に見合った補正電圧を発生させて走査線電極の非選択電圧を形成することによりクロストーク分を相殺させることができることからそれに影響されない高品質表示が実現できる液晶表示装置が開示されている。
また、特許文献３には、液晶駆動電圧などとして使用される複数の駆動電圧を発生し、所望とする負荷を駆動可能なように、ボルテージフォロワ型にオペアンプなどによって低インピーダンス化して出力するようにした駆動電圧発生回路およびそれを用いる液晶駆動装置において、高精度なオペアンプを使用することなく、クロストークの発生しない理想的な駆動電圧の関係を実現できることが開示されている。
【特許文献１】特開２００３−７７２８１号公報
【特許文献２】特開平８−６５２７号公報
【特許文献３】特開２００４−３１７７２０号公報
【発明の開示】
【発明が解決しようとする課題】
【０００４】
ところで、上記特許文献１〜３は、いずれも上記アナログ信号処理装置におけるアナログのオーディオビジュアル信号伝送に関するものではなく、このアナログ信号処理装置においてオーディオビジュアル信号伝送時に発生するクロストークの影響を抑制することが望まれる。そこで、このオーディオビジュアル信号伝送時のクロストークの発生に対処するべく、アナログ信号処理装置において、外部入力端子を搭載する基板を多層化したり、接続ケーブルにシールド線を用いたりしてノイズ混入を低減することが考えられる。
しかしながら、多層基板やシールド線を用いるなどの対策は高価であり、しかもクロストークの発生が原理的にはゼロにならないことからクロストークを十分に低減できない可能性があった。
【０００５】
本発明は上記課題に鑑みて為されたもので、その目的とするところは、多層基板やシールド線を用いるなどの高価な対策を施すことなく、内部において伝送されるアナログのオーディオビジュアル信号のクロストークを可及的に低減することができるアナログ信号処理装置及びアナログ信号処理方法を提供することにある。
【課題を解決するための手段】
【０００６】
上記目的を達成するための請求項１に記載の発明は、複数の外部信号源から複数の外部入力端子にそれぞれ入力されたアナログのオーディオビジュアル信号を処理して出力するアナログ信号処理装置において、上記外部入力端子と上記オーディオビジュアル信号を択一的に伝送することが可能なバッファ回路とを搭載した信号選択基板と、上記オーディオビジュアル信号を択一的に伝送する為の選択信号を上記バッファ回路へ出力すると共に、上記信号選択基板から伝送された上記オーディオビジュアル信号に基づいて信号処理を施す制御基板と、上記信号選択基板と上記制御基板との間で上記選択信号及び上記オーディオビジュアル信号を伝送する接続ケーブルとを、備える構成としてある。
【０００７】
上記のように構成された本発明のアナログ信号処理装置において、複数の外部入力端子にそれぞれ入力された上記オーディオビジュアル信号が上記バッファ回路により上記選択信号に基づいて択一的に伝送されることから、複数の外部信号源から複数の外部入力端子にそれぞれオーディオビジュアル信号が入力されているとしても選択されていないオーディオビジュアル信号は上記信号選択基板上におけるバッファ回路の後段部分や上記接続ケーブル上に送信（伝送）されない。
【０００８】
また、好適には、上記バッファ回路は、上記制御基板側のインピーダンスを下げて上記オーディオビジュアル信号をそれぞれ伝送する複数のバッファアンプと、上記バッファアンプへ電源を供給する電源経路にそれぞれ配置され、上記選択信号に基づいて作動するスイッチとを、含む構成としても良い。このように構成されることで、上記選択信号に基づいてスイッチのオン・オフが切り替えられてバッファアンプが択一的に作動させられ、複数の外部入力端子にそれぞれ入力された上記オーディオビジュアル信号が択一的に伝送される。
【０００９】
また、好適には、上記バッファ回路は、上記制御基板側のインピーダンスを下げて上記オーディオビジュアル信号をそれぞれ伝送する複数のバッファアンプと、上記外部入力端子から上記バッファアンプへ上記オーディオビジュアル信号を伝送する信号経路にそれぞれ配置され、上記選択信号に基づいて作動するスイッチとを、含む構成としても良い。このように構成されることで、上記選択信号に基づいてスイッチのオン・オフが切り替えられ、複数の外部入力端子にそれぞれ入力された上記オーディオビジュアル信号が上記外部入力端子から上記バッファアンプへ択一的に伝送される。
【００１０】
また、好適には、上記制御基板は、ユーザによる切替操作に基づいて選択された上記外部信号源に対応するオーディオビジュアル信号のみが伝送されるように上記選択信号を出力する構成としても良い。このように構成されることで、ユーザが選択した外部信号源に対応するオーディオビジュアル信号のみが伝送され、選択されていない外部信号源に対応するオーディオビジュアル信号は上記信号選択基板上におけるバッファ回路の後段部分や上記接続ケーブル上に送信（伝送）されない。
【００１１】
また、好適には、上記制御基板は、ユーザによる切替操作に基づいてテレビジョン放送及び上記外部信号源のうちで該外部信号源が選択された場合に、上記選択された外部信号源に対応するオーディオビジュアル信号のみが伝送されるように上記選択信号を出力する制御マイコンと、該オーディオビジュアル信号に基づいて信号処理を施す信号処理ＩＣとを搭載したものであり、上記バッファ回路は、上記制御基板側のインピーダンスを下げて上記オーディオビジュアル信号をそれぞれ伝送する複数のバッファアンプと、上記バッファアンプへ電源を供給する電源経路にそれぞれ配置され、上記選択信号に基づいて作動するスイッチとを含むものであり、アナログ信号処理装置は薄型テレビジョン装置に備えられる構成としても良い。このように構成されることで、ユーザによる切替操作に基づいて選択された外部信号源に対応するオーディオビジュアル信号のみが伝送されるように上記制御マイコンにより選択信号が出力される。この選択信号に基づいてスイッチのオン・オフが切り替えられてバッファアンプが択一的に作動させられ、ユーザが選択した外部信号源に対応するオーディオビジュアル信号のみが伝送され、選択されていない外部信号源に対応するオーディオビジュアル信号は上記信号選択基板上におけるバッファ回路の後段部分や上記接続ケーブル上に送信（伝送）されない。
【００１２】
また、好適には、上記アナログ信号処理装置における処理方法として作用する構成としても良い。すなわち、複数の外部信号源から複数の外部入力端子にそれぞれ入力されたアナログのオーディオビジュアル信号を処理して出力するアナログ信号処理方法において、上記オーディオビジュアル信号を択一的に伝送することが可能なバッファ回路へ接続ケーブルを介して該オーディオビジュアル信号を択一的に伝送する為の選択信号を出力すると共に、上記バッファ回路から接続ケーブルを介して伝送された上記オーディオビジュアル信号に基づいて信号処理を施す構成としても良い。このように、請求項１にかかる発明と併記して、かかるアナログ信号処理方法としての発明を開示している。すなわち、必ずしも実体のある装置に限らず、その方法としても有効であることに相違はない。
【発明の効果】
【００１３】
以上説明したように、請求項１に記載の発明によれば、複数の外部入力端子にそれぞれオーディオビジュアル信号が入力されているとしても選択されていないオーディオビジュアル信号は上記信号選択基板上におけるバッファ回路の後段部分や上記接続ケーブル上に送信（伝送）されないので、つまり不要な信号そのものが停止させられることになるので、信号選択基板に多層基板を用いたり、接続ケーブルにシールド線を用いるなどの高価な対策を施すことなく、内部において伝送されるアナログのオーディオビジュアル信号のクロストークを可及的に低減することができるアナログ信号処理装置が提供される。クロストークが可及的に低減されることで、上記信号選択基板から伝送された上記オーディオビジュアル信号に基づいて制御基板により信号処理を施された後の映像・音声の品質低下が抑制される。例えば、このようなアナログ信号処理装置を備える薄型テレビジョン装置では、クロストークに伴う画面へのノイズ漏れ込みや音声へのノイズ漏れ込みを抑制することができる。
【００１４】
また、本発明によれば、複数の外部入力端子にそれぞれ入力された上記オーディオビジュアル信号に１対１で対応するバッファアンプと、上記選択信号に基づいてそのバッファアンプを択一的に作動することができるか或いは上記選択信号に基づいて外部入力端子からそのバッファアンプへのオーディオビジュアル信号を択一的に伝送することができるスイッチとを備える簡単且つ安価な構成で、アナログ信号処理装置内部において伝送されるアナログのオーディオビジュアル信号のクロストークを適切に低減することができる。
【００１５】
また、本発明によれば、ユーザが選択した外部信号源に対応するオーディオビジュアル信号以外は上記信号選択基板上におけるバッファ回路の後段部分や上記接続ケーブル上に送信（伝送）されないので、アナログ信号処理装置内部において伝送されるアナログのオーディオビジュアル信号のクロストークを適切に低減することができる。
【００１６】
また、本発明によれば、薄型テレビジョン装置において、複数の外部入力端子にそれぞれ入力された上記オーディオビジュアル信号に1対1で対応するバッファアンプと、選択信号に基づいてそのバッファアンプを択一的に作動することができるスイッチとを備え、ユーザによる切替操作に基づいて選択された外部信号源に対応するオーディオビジュアル信号のみが伝送されるように制御マイコンにより選択信号が出力される簡単且つ安価な構成で、ユーザが選択した外部信号源に対応するオーディオビジュアル信号以外は上記信号選択基板上におけるバッファ回路の後段部分や上記接続ケーブル上に送信（伝送）されないので、アナログ信号処理装置内部において伝送されるアナログのオーディオビジュアル信号のクロストークを適切に低減することができる。
【００１７】
さらに、本発明によれば、上記同様の効果を奏するアナログ信号処理方法を提供することができる。
【発明を実施するための最良の形態】
【００１８】
以下、図面にもとづいて本発明の実施形態を説明する。
（１）アナログ信号処理装置を備える薄型テレビジョン装置の概略構成
（２）アナログ信号処理装置の概略構成
（３）アナログ信号処理装置における制御作動
（４）変形例
（５）まとめ
【００１９】
（１）アナログ信号処理装置を備える薄型テレビジョン装置の概略構成
以下、図１、２を参照して本発明が適用されるアナログ信号処理装置３０（図３参照）を備えた薄型テレビジョン装置の一例である液晶テレビジョン装置１０の概略構成を説明する。図１は液晶テレビジョン装置１０を示す斜視図であり、図２は液晶テレビジョン装置１０のブロック構成図である。
尚、本実施形態では薄型テレビジョン装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置等であれば、本発明の要旨を逸脱しない範囲で種々の変形実施の形態が可能である。
また、薄型テレビジョン装置でなくとも、複数の外部信号源としてのＤＶＤプレーヤやＶＴＲ等の複数の外部機器から複数の外部入力端子にそれぞれ入力されたアナログのオーディオビジュアル信号を処理して出力するアナログ信号処理装置を備えておれば本発明は適用され得る。例えば、上記アナログ信号処理装置を備えるオーディオ・ビジュアル機器等にも本発明は適用され得る。
【００２０】
図１、図２において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９と、外部入力端子２０と、信号処理部２１と、スイッチ回路２２とを備えている。
【００２１】
チューナ１１は、例えばアンテナ２３と接続されており、マイコン１８から入力される制御信号に従って、アンテナ２３で受信されるテレビジョン放送信号の中から１つのチャンネル（例えばユーザによって選局されたチャンネル）に対応するテレビジョン放送信号を取得してフロントエンド１２に出力する。
【００２２】
フロントエンド１２は、例えばマイコン１８から入力される制御信号に従って、チューナ１１から出力されたテレビジョン放送信号を中間周波信号に変換して、デコーダ１３に出力する。
【００２３】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、スイッチ回路２２及び信号処理部２１を介してそのデコードした音声信号を音声出力部１５へ出力するとともに、映像信号を画像表示部１６へ出力する。
【００２４】
外部入力端子２０は、外部機器２４から出力されたアナログのオーディオビジュアル信号であるアナログ映像信号とアナログ音声信号を入力するための端子である。アナログ映像信号を入力するための端子は、例えばコンポジット端子、Ｓ端子、コンポーネント端子等である。また、外部機器２４は、コンポジット映像信号、Ｓ映像信号、コンポーネント映像信号を出力可能なＤＶＤ再生機やビデオテープ再生機や家庭用ゲーム機等である。
【００２５】
スイッチ回路２２は、例えばマイコン１８からの制御信号に従って、デコーダ１３からの音声信号および映像信号、或いは外部機器２４からの音声信号および映像信号を信号処理部２１へそれぞれ出力する。
【００２６】
信号処理部２１は、スイッチ回路２２から出力された映像信号と音声信号に所定の処理を施して、音声信号を音声出力部１５へ出力するとともに、映像信号を画像表示部１６へ出力する。
【００２７】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、信号処理部２１から画像表示部１６へ出力される映像信号に合成する。
【００２８】
音声出力部１５は、例えば音声出力アンプＩＣ（Ｄ−ＡＭＰ）１５ａやスピーカ１５ｂなどを有し、音声出力アンプＩＣ１５ａにより信号処理部２１から入力された音声信号に電力増幅等の所定の処理を施して、その音声信号に基づく音声データに応じた音声をスピーカ１５ｂから出力する。
【００２９】
画像表示部１６は、例えばパネル駆動回路１６ａや液晶パネル１６ｂなどを有し、信号処理部２１から出力された映像信号に基づく画像データに応じた画像や、信号処理部２１から出力されてＯＳＤ回路１４によりＯＳＤ表示信号が合成された映像信号に基づく画像データに応じた画像を表示する。
【００３０】
リモコン受信部１７は、例えばリモコン２５から送信された各種赤外線信号（制御コマンド）を受信し、それら各種信号に基づく各種データをマイコン１８へ出力する。
【００３１】
リモコン２５は、例えばユーザによって操作され、その操作に応じた赤外線信号をリモコン受信部１７へ送信する。
【００３２】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいてチャンネルの切換え、音量のアップ／ダウン、信号処理を施して映像・音声出力する為の入力ソース（信号源、本実施例ではテレビジョン放送や外部機器２４）からの信号を切り替える入力信号切替等を制御する。
【００３３】
ＣＰＵ１８ａは、ＲＯＭ１８ｃに記憶された液晶テレビジョン装置１０用の各種処理プログラムに従って、各種の制御動作を行う。
【００３４】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００３５】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００３６】
電源回路１９は、例えば部分共振電源回路であり、商用ＡＣ電源を複数種類の所定の電圧に変換して液晶テレビジョン装置１０の各部へ動作電源電圧を出力する。
【００３７】
（２）アナログ信号処理装置の概略構成
図３は、液晶テレビジョン装置１０が備えるアナログ信号処理装置３０の概略構成を例示する図である。図３において、アナログ信号処理装置３０は、例えば（Ａ）(a)外部機器２４ａ、２４ｂ、２４ｃからの１系統のオーディオビジュアル信号ＡＶａ、ＡＶｂ、ＡＶｃをそれぞれ入力するための外部入力端子２０ａ、２０ｂ、２０ｃと、(b)外部入力端子２０ａ、２０ｂ、２０ｃとそれぞれ電気的に接続され、外部入力端子２０ａ、２０ｂ、２０ｃにそれぞれ入力されたオーディオビジュアル信号ＡＶａ、ＡＶｂ、ＡＶｃを択一的に後段側へ伝送することが可能なバッファ回路３１（図２参照）とを搭載した信号選択基板３２と、（Ｂ）オーディオビジュアル信号ＡＶａ、ＡＶｂ、ＡＶｃを択一的に後段側へ伝送する為の選択信号Ｓをバッファ回路３１へ出力すると共に、信号選択基板３２から伝送されたオーディオビジュアル信号ＡＶに基づいて信号処理を施す制御基板３３と、（Ｃ）信号選択基板３２と制御基板３３との間で選択信号Ｓ及びオーディオビジュアル信号ＡＶを伝送する接続ケーブル３４とを、備えている。
【００３８】
制御基板３３は、例えばリモコン２５等を用いたユーザによる切替操作に基づいて選択された外部機器２４に対応するオーディオビジュアル信号ＡＶのみが伝送されるように選択信号Ｓを出力する。具体的には、制御基板３３は、ユーザによる入力信号切替操作に基づいてテレビジョン放送及び外部機器２４ａ、２４ｂ、２４ｃのうちで何れかの外部機器２４が選択された場合に、その選択された外部機器２４に対応するオーディオビジュアル信号ＡＶのみが伝送されるように選択信号Ｓを出力する制御マイコンとしてのマイコン１８と、その選択されたオーディオビジュアル信号に基づいて信号処理を施す信号処理ＩＣとしての信号処理部２１とを搭載している。
【００３９】
バッファ回路３１は、制御基板３３側のインピーダンスを下げて複数のオーディオビジュアル信号ＡＶａ、ＡＶｂ、ＡＶｃをそれぞれ伝送する複数のバッファアンプ３５ａ、３５ｂ、３５ｃと、これらバッファアンプ３５ａ、３５ｂ、３５ｃへ駆動電源を供給する電源経路３６ａ、３６ｂ、３６ｃにそれぞれ配置され、選択信号Ｓに基づいて作動するスイッチとして例えば半導体スイッチ３７ａ、３７ｂ、３７ｃとを含んでいる。バッファアンプ３５ａ、３５ｂ、３５ｃは、例えばエミッタフォロワやアンプなどのよく知られた電流増幅回路が用いられる。また、半導体スイッチ３７ａ、３７ｂ、３７ｃは、例えばダイオードやトランジスタやＭＯＳ ＦＥＴなどをスイッチ素子として使ったよく知られた電子的スイッチ回路が用いられる。また、選択信号Ｓは、ユーザによる入力信号切替操作に基づいて何れかの外部機器２４が選択された場合に、半導体スイッチ３７ａ、３７ｂ、３７ｃを択一的に作動させてバッファアンプ３５ａ、３５ｂ、３５ｃを択一的に作動させる為の信号でもある。
【００４０】
（３）アナログ信号処理装置における制御作動
図４は、アナログ信号処理装置３０における制御作動を示すフローチャートであり、マイコン１８が有する機能として実現される。この図４のフローチャートは、テレビジョン放送、及び外部機器２４ａ、２４ｂ、２４ｃのうちで何れかが現在のソースとして選択されており、その選択されたソースの信号に基づく映像・音声が出力されている状態を前提としている。
【００４１】
図４において、先ず、ユーザによる入力信号切替操作が行われたか否かが判断される。例えば、リモコン２５や液晶テレビジョン装置１０に設けられた図示しない入力信号切替ボタンが押し下げ操作されたか否かが判断される（ステップＳ１０）。
入力信号切替ボタンが押し下げ操作されずステップＳ１０の判断が否定される場合は、現在の状態を維持したまま本ルーチンが終了させられる。一方で、入力信号切替ボタンが押し下げ操作されてステップＳ１０の判断が肯定される場合は、現在選択されているソースの次のソースが選択される。例えば、入力信号切替ボタンの押し下げ操作の度、テレビジョン放送→外部機器２４ａ→外部機器２４ｂ→外部機器２４ｃ→テレビジョン放送・・・の順に選択されるソースが切り替えられる（ステップＳ２０）。
次いで、ステップＳ２０にて選択されたソースの信号に基づく映像・音声が出力される。このとき、そのソースの名称（例えば、テレビ、ビデオ１、ビデオ２、ビデオ３）を一時的にＯＳＤ表示しても良い（ステップＳ３０）。
【００４２】
特に、本実施例では、このステップＳ３０において、ステップＳ２０にて選択されたソースが外部機器２４ａ、２４ｂ、２４ｃのうちの何れかである場合には、つまりユーザによるリモコン操作により外部機器２４ａ、２４ｂ、２４ｃのうちの何れかが選択された場合には、選択信号Ｓが出力され、選択された外部機器２４ａ、２４ｂ、２４ｃのうちの何れかに対応するオーディオビジュアル信号ＡＶａ、ＡＶｂ、ＡＶｃのみがバッファアンプ３５ａ、３５ｂ、３５ｃの後段側（制御基板側）へ伝送される。例えば、外部機器２４ａが選択された場合には半導体スイッチ３７ａをオンする為の選択信号Ｓａのみが出力され、バッファアンプ３５ａのみが作動させられて外部機器２４ａに対応するオーディオビジュアル信号ＡＶａのみがバッファアンプ３５ａの後段側へ伝送される。また、外部機器２４ｂが選択された場合には半導体スイッチ３７ｂをオンする為の選択信号Ｓｂのみが出力され、バッファアンプ３５ｂのみが作動させられて外部機器２４ｂに対応するオーディオビジュアル信号ＡＶｂのみがバッファアンプ３５ｂの後段側へ伝送される。また、外部機器２４ｃが選択された場合には半導体スイッチ３７ｃをオンする為の選択信号Ｓｃのみが出力され、バッファアンプ３５ｃのみが作動させられて外部機器２４ｃに対応するオーディオビジュアル信号ＡＶｃのみがバッファアンプ３５ｃの後段側へ伝送される。また、テレビジョン放送が選択された場合には、選択信号Ｓａ、Ｓｂ、Ｓｃの何れも出力されず、オーディオビジュアル信号ＡＶａ、ＡＶｂ、ＡＶｃの何れもバッファアンプ３５ａ、３５ｂ、３５ｃの後段側へ伝送されない。
【００４３】
（４）変形例
図５は、前述の実施例におけるバッファ回路３１の変形例を示す図である。
図５において、バッファ回路４０は、制御基板３３側のインピーダンスを下げて外部入力端子２０ａ、２０ｂ、２０ｃにそれぞれ入力されたオーディオビジュアル信号ＡＶａ、ＡＶｂ、ＡＶｃをそれぞれ伝送する複数のバッファアンプ４１ａ、４１ｂ、４１ｃと、外部入力端子２０ａ、２０ｂ、２０ｃからこれらバッファアンプ４１ａ、４１ｂ、４１ｃへオーディオビジュアル信号ＡＶａ、ＡＶｂ、ＡＶｃを伝送する信号経路４２ａ、４２ｂ、４２ｃにそれぞれ配置され、選択信号Ｓａ、Ｓｂ、Ｓｃに基づいてそれぞれ作動するスイッチとして例えば半導体スイッチ４３ａ、４３ｂ、４３ｃとを含んでいる。
このようにバッファ回路４０が構成されることで、選択信号Ｓａ、Ｓｂ、Ｓｃに基づいて半導体スイッチ４３ａ、４３ｂ、４３ｃのオン・オフがそれぞれ切り替えられ、複数の外部入力端子２０ａ、２０ｂ、２０ｃにそれぞれ入力されたオーディオビジュアル信号ＡＶａ、ＡＶｂ、ＡＶｃが外部入力端子２０ａ、２０ｂ、２０ｃからバッファアンプ４１ａ、４１ｂ、４１ｃへ択一的に伝送される。そして、ユーザが選択した外部機器２４ａ、２４ｂ、２４ｃに対応するオーディオビジュアル信号ＡＶａ、ＡＶｂ、ＡＶｃのみが伝送され、選択されていない外部機器２４ａ、２４ｂ、２４ｃに対応するオーディオビジュアル信号ＡＶａ、ＡＶｂ、ＡＶｃは信号選択基板３２上におけるバッファアンプ４１ａ、４１ｂ、４１ｃの後段部分や接続ケーブル３４上に送信（伝送）されない。
【００４４】
（５）まとめ
上述のように、本実施例によれば、複数の外部入力端子２０にそれぞれオーディオビジュアル信号ＡＶが入力されているとしても選択されていないオーディオビジュアル信号ＡＶは信号選択基板３２上におけるバッファ回路３１（或いはバッファ回路４０）の後段部分や接続ケーブル３４上に送信（伝送）されないので、つまり不要な信号そのものが停止させられることになるので、信号選択基板３２に多層基板を用いたり、接続ケーブル３４にシールド線を用いるなどの高価な対策を施すことなく、アナログ信号処理装置３０内部において伝送されるアナログのオーディオビジュアル信号ＡＶのクロストークを可及的に低減することができる。クロストークが可及的に低減されることで、信号選択基板３２から伝送されたオーディオビジュアル信号ＡＶに基づいて制御基板３３により信号処理を施された後の映像・音声の品質低下が抑制される。例えば、このようなアナログ信号処理装置３０を備える液晶テレビジョン装置１０では、クロストークに伴う画面へのノイズ漏れ込みや音声へのノイズ漏れ込みを抑制することができる。
【００４５】
また、本実施例によれば、複数の外部入力端子２０ａ、２０ｂ、２０ｃにそれぞれ入力されたオーディオビジュアル信号ＡＶａ、ＡＶｂ、ＡＶｃに1対1で対応するバッファアンプ３５ａ、３５ｂ、３５ｃ（或いはバッファアンプ４１ａ、４１ｂ、４１ｃ）と、選択信号Ｓａ、Ｓｂ、Ｓｃに基づいてバッファアンプ３５ａ、３５ｂ、３５ｃを択一的に作動することができるか或いは選択信号Ｓａ、Ｓｂ、Ｓｃに基づいて外部入力端子２０ａ、２０ｂ、２０ｃからバッファアンプ４１ａ、４１ｂ、４１ｃへのオーディオビジュアル信号ＡＶａ、ＡＶｂ、ＡＶｃを択一的に伝送することができる半導体スイッチ３７ａ、３７ｂ、３７ｃ（或いは半導体スイッチ４３ａ、４３ｂ、４３ｃ）とを備え、ユーザによる切替操作に基づいて選択された外部機器２４ａ、２４ｂ、２４ｃに対応するオーディオビジュアル信号ＡＶａ、ＡＶｂ、ＡＶｃのみが伝送されるようにマイコン１８により選択信号Ｓａ、Ｓｂ、Ｓｃが出力される簡単且つ安価な構成で、ユーザが選択した外部機器２４ａ、２４ｂ、２４ｃに対応するオーディオビジュアル信号ＡＶａ、ＡＶｂ、ＡＶｃ以外は信号選択基板３２上におけるバッファ回路３１（或いはバッファ回路４０）の後段部分や接続ケーブル３４上に送信（伝送）されないので、アナログ信号処理装置３０内部において伝送されるアナログのオーディオビジュアル信号ＡＶのクロストークを適切に低減することができる。
【００４６】
さらに、好適には、アナログ信号処理装置３０における処理方法として作用する構成としても良い。
すなわち、複数の外部機器２４から複数の外部入力端子２０にそれぞれ入力されたアナログのオーディオビジュアル信号ＡＶを処理して出力するアナログ信号処理方法において、オーディオビジュアル信号ＡＶを択一的に伝送することが可能なバッファ回路３１へ接続ケーブル３４を介してオーディオビジュアル信号ＡＶを択一的に伝送する為の選択信号Ｓを出力すると共に、バッファ回路３１から接続ケーブル３４を介して伝送されたオーディオビジュアル信号ＡＶに基づいて信号処理を施す構成としても良い。
このように、必ずしも実体のある装置に限らず、その方法としても有効であることに相違はなく、上記同様の効果を奏するアナログ信号処理方法を提供することができる。
【００４７】
以上、本発明の実施例を図面に基づいて詳細に説明したが、本発明はその他の態様においても適用される。
【００４８】
例えば、前述の実施例（変形例）における半導体スイッチ４３ａ、４３ｂ、４３ｃは信号経路４２ａ、４２ｂ、４２ｃにそれぞれ配置されたが、バッファアンプ４１ａ、４１ｂ、４１ｃから接続ケーブル３４へオーディオビジュアル信号ＡＶａ、ＡＶｂ、ＡＶｃを伝送する信号経路にそれぞれ配置されても良い。このようにしても、半導体スイッチ４３ａ、４３ｂ、４３ｃの後段側においてクロストークの発生を可及的に低減することができる。尚、この場合には、半導体スイッチ４３ａ、４３ｂ、４３ｃはできるだけバッファアンプ４１ａ、４１ｂ、４１ｃの直後に配置することが望ましい。
【００４９】
なお、上述したのはあくまでも一実施形態であり、本発明は当業者の知識に基づいて種々の変更、改良を加えた態様で実施することができる。
【図面の簡単な説明】
【００５０】
【図１】本発明が適用されるアナログ信号処理装置を備えた液晶テレビジョン装置の一例を示す斜視図である。
【図２】液晶テレビジョン装置の構成を例示するブロック図である。
【図３】本発明のアナログ信号処理装置の概略構成を例示する図である。
【図４】アナログ信号処理装置における制御作動を例示するフローチャートである。
【図５】本発明のバッファ回路の変形例を例示する図である。
【符号の説明】
【００５１】
１０：液晶テレビジョン装置（薄型テレビジョン装置）
１８：マイコン（制御マイコン）
２０、２０ａ、２０ｂ、２０ｃ：外部入力端子
２１：信号処理部（信号処理ＩＣ）
２４、２４ａ、２４ｂ、２４ｃ：外部機器（外部信号源）
３０：アナログ信号処理装置
３１：バッファ回路
３２：信号選択基板
３３：制御基板
３４：接続ケーブル
３５ａ、３５ｂ、３５ｃ：バッファアンプ
３６ａ、３６ｂ、３６ｃ：電源経路
３７ａ、３７ｂ、３７ｃ：半導体スイッチ
４０：バッファ回路
４１ａ、４１ｂ、４１ｃ：バッファアンプ
４２ａ、４２ｂ、４２ｃ：信号経路
４３ａ、４３ｂ、４３ｃ：半導体スイッチ
ＡＶ、ＡＶａ、ＡＶｂ、ＡＶｃ：アナログのオーディオビジュアル信号
Ｓ、Ｓａ、Ｓｂ、Ｓｃ：選択信号 
【図１】
2009141691.tif 000003
【図２】
2009141691.tif 000004
【図３】
2009141691.tif 000005
【図４】
2009141691.tif 000006
【図５】
2009141691.tif 000007